(57)【要約】【課題】押縁が収縮して押縁間に隙間が生じた場合に、隙間を目立たなくすることができ、押縁接合部の意匠性を向上できる押縁用接続部材および建具を提供すること。【解決手段】押縁用接続部材６０は、縦押縁４０Ｂおよび横押縁４０Ａの一方の押縁の小口を他方の押縁の側面に対向させて配置した接続部に設けられる。押縁用接続部材６０は、一方の押縁４０Ａの見付面を覆う第１被覆部６３と、他方の押縁４０Ｂの見付面を覆う第２被覆部６４と、一方の押縁４０Ａが取り付けられる枠２１，２２に固定される固定部６５とを備える。第２被覆部６４は、一方の押縁４０Ａの長手方向に対する傾斜角度が４５度である斜辺６４５を備え、第１被覆部６３および第２被覆部６４は、各押縁が収縮した際に、各押縁間に生じる隙間を隠す壁部として機能する。【選択図】図５
2020020134.tif 000002
【特許請求の範囲】
【請求項１】
縦押縁および横押縁の一方の押縁の小口を他方の押縁の側面に対向させて配置した接続部に設けられる押縁用接続部材であって、
前記一方の押縁の見付面を覆う第１被覆部と、
前記他方の押縁の見付面を覆う第２被覆部と、
前記一方の押縁が取り付けられる枠に固定される固定部と、を備え、
前記第２被覆部は、前記一方の押縁の長手方向に対する傾斜角度が４５度である斜辺を備え、
前記第１被覆部および前記第２被覆部は、前記各押縁が収縮した際に生じる隙間を隠す壁部として機能する
ことを特徴とする押縁用接続部材。
【請求項２】
長手方向の端部を４５度の角度で切断した小口同士を突き合わせて設置される縦押縁および横押縁の少なくとも一方の押縁に設けられる押縁用接続部材であって、
前記一方の押縁は、第１分断押縁および第２分断押縁の２つの押縁を備えて構成され、
前記押縁用接続部材は、
前記第１分断押縁および前記第２分断押縁間に配置され、
前記第１分断押縁の見付面を覆う第１被覆部と、
前記第２分断押縁の見付面を覆う第２被覆部と、を備え、
前記第１被覆部および前記第２被覆部は、前記第１分断押縁および前記第２分断押縁が収縮した際に、前記第１分断押縁および前記第２分断押縁間に生じる隙間を隠す壁部として機能する
ことを特徴とする押縁用接続部材。
【請求項３】
建具枠と、
前記建具枠内に配置される面材と、
前記建具枠に取り付けられて前記面材を押さえる縦押縁および横押縁と、
押縁用接続部材と、を備え、
前記建具枠は、上枠、下枠および左右の縦枠で構成され、前記各枠の小口は４５度の角度で切断されて突き合わせされて接合され、
前記縦押縁および前記横押縁は、長手方向に連続する中空部を備え、かつ、一方の押縁の小口を他方の押縁の側面に対向させて配置され、
前記押縁用接続部材は、
前記一方の押縁の見付面を覆う第１被覆部と、
前記他方の押縁の見付面を覆う第２被覆部と、
前記一方の押縁が取り付けられる枠に固定される固定部と、を備え、
前記第２被覆部は、前記一方の押縁の長手方向に対する傾斜角度が４５度である斜辺を備え、
前記第１被覆部および前記第２被覆部は、前記各押縁が収縮した際に生じる隙間を隠す壁部として機能する
ことを特徴とする建具。
【請求項４】
建具枠と、
前記建具枠内に配置される面材と、
前記建具枠に取り付けられて前記面材を押さえる縦押縁および横押縁と、
押縁用接続部材と、を備え、
前記建具枠は、上枠、下枠および左右の縦枠で構成され、前記各枠の小口は４５度の角度で切断されて突き合わせされて接合され、
前記縦押縁および前記横押縁は、長手方向に連続する中空部を備え、かつ、長手方向の端部の小口は長手方向に対して４５度の角度で切断され、
前記縦押縁および前記横押縁の少なくとも一方の押縁は、第１分断押縁および第２分断押縁を備え、
前記第１分断押縁および前記第２分断押縁は、他の押縁と突き合わされる前記小口が形成された端部側で前記枠に固定され、
前記押縁用接続部材は、前記第１分断押縁および前記第２分断押縁間に配置され、
前記第１分断押縁の見付面を覆う第１被覆部と、
前記第２分断押縁の見付面を覆う第２被覆部と、を備え、
前記第１被覆部および前記第２被覆部は、前記各分断押縁が収縮した際に生じる隙間を隠す壁部として機能する
ことを特徴とする建具。
【請求項５】
請求項４に記載の建具において、
前記第１分断押縁および前記第２分断押縁が取り付けられる前記枠の両端部には固定部品が取り付けられ、
前記第１分断押縁および前記第２分断押縁の前記端部側には、前記固定部品が係合される切欠部が形成されている
ことを特徴とする建具。
【発明の詳細な説明】
【技術分野】
【０００１】
本発明は、建具枠に取り付けられる押縁の接合部に設けられる押縁用接続部材、および、この押縁用接続部材を用いた建具に関する。
【背景技術】
【０００２】
窓枠や障子枠などの建具枠と、建具枠に取り付けた押縁とで、ガラス等の面材を挟持する建具において、合成樹脂製の押縁が外気温の変化によって伸縮した際に、押縁の突き合わせ部に生じた隙間が外部に露出することを防止する構造が知られている（例えば、特許文献１）。
特許文献１の建具は、例えば、窓正面側から見た形状がＬ形のブロック状のコーナー部品を設け、縦押縁および横押縁の長手方向両端部をコーナー部品内に挿入して隠すことで、縦押縁や横押縁が収縮して隙間が生じても、その隙間が室外側に露出することを防止している。
【先行技術文献】
【特許文献】
【０００３】
【特許文献１】特開２００８−８２０６６号公報
【発明の概要】
【発明が解決しようとする課題】
【０００４】
しかしながら、特許文献１の構造では、建具枠の枠材を、４５度に切断された小口同士を突き合わせて溶着した「留め」と呼ばれる納まりで構成した場合に、押縁の接合部にはＬ形のコーナー部品が露出するため、建具枠の接合部分と異なる外観となり、サッシ全体の意匠性向上の制約となっていた。
本発明の目的は、押縁が収縮して押縁間や押縁と枠間に隙間が生じた場合に、その隙間を目立たなくすることができて、押縁接合部の意匠性を向上できる押縁用接続部材および建具を提供することにある。
【課題を解決するための手段】
【０００５】
本発明の押縁用接続部材は、縦押縁および横押縁の一方の押縁の小口を他方の押縁の側面に対向させて配置した接続部に設けられる押縁用接続部材であって、前記一方の押縁の見付面を覆う第１被覆部と、前記他方の押縁の見付面を覆う第２被覆部と、前記一方の押縁が取り付けられる枠に固定される固定部と、を備え、前記第２被覆部は、前記一方の押縁の長手方向に対する傾斜角度が４５度である斜辺を備え、前記第１被覆部および前記第２被覆部は、前記各押縁が収縮した際に生じる隙間を隠す壁部として機能することを特徴とする。
【０００６】
本発明の押縁用接続部材は、長手方向の端部を４５度の角度で切断した小口同士を突き合わせて設置される縦押縁および横押縁の少なくとも一方の押縁に設けられる押縁用接続部材であって、前記一方の押縁は、第１分断押縁および第２分断押縁の２つの押縁を備えて構成され、前記押縁用接続部材は、前記第１分断押縁および前記第２分断押縁間に配置され、前記第１分断押縁の見付面を覆う第１被覆部と、前記第２分断押縁の見付面を覆う第２被覆部と、を備え、前記第１被覆部および前記第２被覆部は、前記第１分断押縁および前記第２分断押縁が収縮した際に、前記第１分断押縁および前記第２分断押縁間に生じる隙間を隠す壁部として機能することを特徴とする。
【０００７】
本発明の建具は、建具枠と、前記建具枠内に配置される面材と、前記建具枠に取り付けられて前記面材を押さえる縦押縁および横押縁と、押縁用接続部材と、を備え、前記建具枠は、上枠、下枠および左右の縦枠で構成され、前記各枠の小口は４５度の角度で切断されて突き合わせされて接合され、前記縦押縁および前記横押縁は、長手方向に連続する中空部を備え、かつ、一方の押縁の小口を他方の押縁の側面に対向させて配置され、前記押縁用接続部材は、前記一方の押縁の見付面を覆う第１被覆部と、前記他方の押縁の見付面を覆う第２被覆部と、前記一方の押縁が取り付けられる枠に固定される固定部と、を備え、前記第２被覆部は、前記一方の押縁の長手方向に対する傾斜角度が４５度である斜辺を備え、前記第１被覆部および前記第２被覆部は、前記各押縁が収縮した際に生じる隙間を隠す壁部として機能することを特徴とする。
【０００８】
本発明の建具は、建具枠と、前記建具枠内に配置される面材と、前記建具枠に取り付けられて前記面材を押さえる縦押縁および横押縁と、押縁用接続部材と、を備え、前記建具枠は、上枠、下枠および左右の縦枠で構成され、前記各枠の小口は４５度の角度で切断されて突き合わせされて接合され、前記縦押縁および前記横押縁は、長手方向に連続する中空部を備え、かつ、長手方向の端部の小口は長手方向に対して４５度の角度で切断され、前記縦押縁および前記横押縁の少なくとも一方の押縁は、第１分断押縁および第２分断押縁を備え、前記第１分断押縁および前記第２分断押縁は、他の押縁と突き合わされる前記小口が形成された端部側で前記枠に固定され、前記押縁用接続部材は、前記第１分断押縁および前記第２分断押縁間に配置され、前記第１分断押縁の見付面を覆う第１被覆部と、前記第２分断押縁の見付面を覆う第２被覆部と、を備え、前記第１被覆部および前記第２被覆部は、前記各分断押縁が収縮した際に生じる隙間を隠す壁部として機能することを特徴とする。
【発明の効果】
【０００９】
本発明の押縁用接続部材および建具によれば、押縁が収縮して押縁間や押縁と枠間に隙間が生じた場合に、その隙間を目立たなくすることができて、押縁接合部の意匠性を向上できる。
【図面の簡単な説明】
【００１０】
【図１】本発明の第１実施形態に係る建具を示す外観姿図。
【図２】第１実施形態に係る建具を示す縦断面図。
【図３】第１実施形態に係る建具を示す横断面図。
【図４】第１実施形態の押縁を示す縦断面図。
【図５】第１実施形態の押縁用接続部材を示す斜視図。
【図６】（Ａ）は第１実施形態の縦押縁および横押縁の接合部を室外側から見た図であり、（Ｂ）は縦押縁および横押縁の収縮時の状態を示す図。
【図７】本発明の第２実施形態に係る建具を示す外観姿図。
【図８】第２実施形態の分断押縁および押縁用接続部材を示す斜視図。
【図９】第２実施形態の分断押縁および押縁用接続部材を示す縦断面図。
【図１０】（Ａ）は第２実施形態の縦押縁および横押縁の接合部を室外側から見た図であり、（Ｂ）は縦押縁および横押縁の収縮時の状態を示す図。
【図１１】第２実施形態の変形例の建具を示す外観姿図。
【発明を実施するための形態】
【００１１】
［第１実施形態］
以下、本発明の第１実施形態を図面に基づいて説明する。
図１〜３に示すように、第１実施形態に係る建具である嵌め殺し窓１は、窓枠（フレーム）２と、建具枠である窓枠２内に組み込まれる面材３と、押縁４０と、押縁用接続部材６０とを備えている。本実施形態の面材３は、３枚のガラスを備えたトリプルガラスであるが、２枚のガラスを備える複層ガラスでもよいし、単板ガラスでもよい。
窓枠２は、上枠２１、下枠２２および左右の縦枠２３を四周枠組みすることで構成される。上枠２１、下枠２２、縦枠２３は、図２，３に示すように、同一断面形状の合成樹脂製の押出形材２５で構成されている。なお、本実施形態では、上枠２１、下枠２２が短辺、縦枠２３が長辺の窓枠２とされている。
押出形材２５は、面材３の室内面に対向した室内見付片部２５１（見付片部）と、室内見付片部２５１に連続した見込片部２５２とを有している。室内見付片部２５１には、面材３の室内面に当接するガスケット２６が装着されている。見込片部２５２の室外側端部には、面材３の室外面を押える押縁４０が係合する係合溝２５３が形成されている。
上枠２１、下枠２２、縦枠２３の長手方向の端部（小口）は、前記長手方向に対して４５度の角度で切断され、各小口同士を突き合わせて溶着することで四周枠組みされている。
【００１２】
押縁４０は、上枠２１、下枠２２に取り付けられる場合は横押縁４０Ａとなり、左右の縦枠２３に取り付けられる場合は縦押縁４０Ｂとなるが、構造は同じであるため、図４を参照して説明する。
押縁４０は、ＰＶＣ（ポリ塩化ビニル）等の合成樹脂製押出形材で構成される押縁本体４１と、押縁本体４１に取り付けられて面材３の室外面に当接するゴム製のガスケット４５とを備えている。
押縁本体４１は、前記係合溝２５３に係合される係合片部４２と、面材３の室外側に配置される見付面部４３と、前記ガスケット４５が装着される装着部４４とを備える。
見付面部４３は、室外側に露出する表面部４３１と、表面部４３１に対して面材側に間隔を隔てて位置する裏面部４３２と、表面部４３１および裏面部４３２の係合片部４２側の端部を連結する基端部４３３と、表面部４３１および裏面部４３２の先端側を連結する先端部４３４とを備えている。表面部４３１および裏面部４３２は、基端部４３３から先端部４３４に向かうにしたがって、室内側つまり面材３側に近づくように湾曲されている。
見付面部４３には、表面部４３１、裏面部４３２、基端部４３３、先端部４３４で囲まれる中空部４３５が形成されている。中空部４３５は、押縁４０の長手方向全長に渡って連続して形成されており、押縁４０つまり見付面部４３の長手方向の両端部である小口で開口している。すなわち、見付面部４３の長手方向の両端部は、その長手方向に対して９０度に切断され、縦押縁４０Ｂの上下端部間に横押縁４０Ａが配置された縦勝ちの納まりとされている。
装着部４４は、先端部４３４の室内側に設けられた一対の保持片部４４１を備え、この保持片部４４１によってガスケット４５を保持している。係合片部４２は、基端部４３３から延出され、係合溝２５３に係合される。
表面部４３１および先端部４３４の表面には、フィルム４１１が積層されている。同様のフィルムは、上枠２１、下枠２２、縦枠２３の室外露出面にも積層されており、着色されたフィルム４１１を用いることで嵌め殺し窓１の外観の色や模様を自由に設定できる。
横押縁４０Ａおよび縦押縁４０Ｂの見付面部４３は、基端部４３３よりも先端部４３４が面材３側に位置するため、図５に示す横押縁４０Ａの小口４３Ａの一部は縦押縁４０Ｂで隠されずに露出する。この露出した小口４３Ａに開口する中空部４３５に押縁用接続部材６０が取り付けられる。
【００１３】
押縁用接続部材６０は、前記横押縁４０Ａの小口４３Ａに対向する対向部６１と、横押縁４０Ａの中空部４３５に挿入可能な挿入部６２と、横押縁４０Ａの見付面部４３を覆う第１被覆部６３と、縦押縁４０Ｂの見付面部４３を覆う第２被覆部６４と、固定部６５を備える。押縁用接続部材６０は、押縁４０の外観色（フィルム４１１の色）と同色の部品である。
対向部６１は、横押縁４０Ａの小口４３Ａに対向し、横押縁４０Ａを押縁用接続部材６０側に移動した際には小口４３Ａに当接可能とされている。本実施形態では、対向部６１の平面形状は略三角形状とされている。
挿入部６２は、横押縁４０Ａの小口４３Ａに開口する中空部４３５内に挿入可能な形状とされている。
【００１４】
第１被覆部６３は、対向部６１の端縁から横押縁４０Ａ側に延出されて設けられている。第１被覆部６３は、表面部６３１と、表面部６３１の上端に連続する上面部６３２とを備えている。
第１被覆部６３の表面部６３１は、横押縁４０Ａの見付面部４３の表面を被覆できるように、見付面部４３の表面部４３１に沿って湾曲されている。挿入部６２と表面部６３１との間には、表面部４３１が配置可能な隙間が形成されている。
上面部６３２は、押縁本体４１の上面を被覆可能に構成されている。
【００１５】
第２被覆部６４は、表面部６４１と、窓枠２の内周面に沿って設けられる底面部６４２と、縦押縁４０Ｂの表面部４３１に沿って設けられる裏面部６４３とを備え、略三角錐形状とされている。
第２被覆部６４の表面部６４１は、第１被覆部６３の表面部６３１に連続して設けられ、横押縁４０Ａの長手方向に対して４５度の角度で傾斜した斜辺６４５を備える。嵌め殺し窓１を室外側から見た際に、表面部６４１は直角二等辺三角形となるように形成されている。
【００１６】
固定部６５は、第１被覆部６３および第２被覆部６４に跨がって形成されている。第２被覆部６４の底面部６４２は、固定部６５よりも僅かに突出して設けられ、底面部６４２と固定部６５との間には段差が設けられている。この段差部分に両面粘着シートや接着剤を配置することで、底面部６４２を上枠２１、下枠２２の内周面に当接させた状態で押縁用接続部材６０を上枠２１、下枠２２に固定している。
【００１７】
次に、嵌め殺し窓１の組立手順について説明する。まず、上枠２１、下枠２２、縦枠２３の各小口を突き合わせて溶着などで固定して四周枠組みして窓枠２を組み立てる。また、ガスケット２６を室内見付片部２５１に取り付けておく。
面材３を窓枠２内に配置し、縦押縁４０Ｂを縦枠２３に取り付ける。
次に、上枠２１、下枠２２に、横押縁４０Ａおよび押縁用接続部材６０を取り付ける。具体的には、横押縁４０Ａの小口４３Ａに開口する中空部４３５に押縁用接続部材６０の挿入部６２を挿入しておき、固定部６５の裏面に両面粘着シートを貼り付けておく。そして、横押縁４０Ａの係合片部４２を、上枠２１、下枠２２の係合溝２５３に挿入しつつ、押縁用接続部材６０を前記両面粘着シートによって上枠２１、下枠２２に固定する。
これにより、図６（Ａ）に示すように、横押縁４０Ａおよび縦押縁４０Ｂの突き合わせ部は、押縁用接続部材６０の第２被覆部６４によって隠され、第２被覆部６４の斜辺６４５が、上枠２１、下枠２２と、縦枠２３との突き合わせ面（４５度の接合線）の延長線上に位置する。すなわち、斜辺６４５は、縦押縁４０Ｂの見付面部４３の外周側の隅角部と、横押縁４０Ａの見付面部４３の内周側の隅角部とを結ぶ線上に位置する。
【００１８】
嵌め殺し窓１が設けられた環境で温度変化が生じたり、高温に曝されて押出時の残留応力の緩和が生じた場合でも、窓枠２は躯体に固定されているので、ほとんど伸縮しない。一方、各押縁４０Ａ，４０Ｂは、窓枠２に係合されているだけであり、各枠２１〜２３に対してその長手方向の移動が規制されていないため、熱伸縮する。
ここで、各押縁４０Ａ，４０Ｂが収縮した場合、図６（Ｂ）に示すように、横押縁４０Ａの小口４３Ａは、横押縁４０Ａの縮み量だけ縦押縁４０Ｂから離れる方向（左右方向）に移動する。また、縦押縁４０Ｂの小口も縦押縁４０Ｂの縮み量だけ上枠２１、下枠２２から離れる方向（上下方向）に移動する。
このため、各押縁４０Ａ、４０Ｂの間や、縦押縁４０Ｂと上枠２１、下枠２２との間に隙間が生じるが、この隙間部分には第１被覆部６３や、第２被覆部６４が配置され、第１被覆部６３、第２被覆部６４が壁部として機能するので、隙間の大半を隠すことができる。なお、押縁４０Ａ、４０Ｂが元の寸法に戻れば、図６（Ａ）の状態に戻すことができる。
【００１９】
［第１実施形態の効果］
（１）嵌め殺し窓１は、上枠２１、下枠２２と、左右の縦枠２３との接合部分を４５度の小口を突き合わせた留めの納まりとし、縦押縁４０Ｂおよび横押縁４０Ａの接合部分に押縁用接続部材６０の斜辺６４５を配置したので、窓枠２と、横押縁４０Ａおよび縦押縁４０Ｂの角部の納まりの外観を共通にでき、意匠性を向上できる。
特に、押縁用接続部材６０は、上枠２１、下枠２２に固定されているので、横押縁４０Ａ、縦押縁４０Ｂが収縮しても、上枠２１、下枠２２の４５度に切断された小口と、押縁用接続部材６０の斜辺６４５の位置がずれないため、意匠性の低下を抑制できる。
（２）押縁用接続部材６０は、上枠２１、下枠２２に固定され、横押縁４０Ａや縦押縁４０Ｂには固定されていないので、各押縁４０Ａ，４０Ｂの収縮を押縁用接続部材６０が規制することがなく、押縁４０Ａ，４０Ｂの収縮時に押縁４０Ａ、４０Ｂが破損したり窓枠２から外れることを防止できる。
（３）押縁用接続部材６０の第１被覆部６３、第２被覆部６４は、各押縁４０Ａ、４０Ｂが収縮した際に発生する隙間を隠す壁部として機能するため、押縁４０Ａ，４０Ｂが収縮した際の隙間を目立たなくでき、この点でも意匠性を向上できる。
（４）窓枠２において、短辺側である上枠２１および下枠２２に取り付けられる横押縁４０Ａの端部を押縁用接続部材６０の第１被覆部６３で被覆したので、横押縁４０Ａの収縮時の小口４３Ａの移動量を小さくでき、第１被覆部６３の横押縁４０Ａの長手方向の寸法を比較的小さくでき、押縁用接続部材６０の第１被覆部６３が目立ちにくくなり、意匠低下を抑制できる。
（５）横押縁４０Ａが収縮した場合、その小口４３Ａが露出すると、フィルム４１１と異なる素材の基材色が露出して意匠性が低下するが、本実施形態では、横押縁４０Ａの小口４３Ａを押縁用接続部材６０で隠しているので、横押縁４０Ａの小口４３Ａが露出することを防止でき、意匠性の低下を防止できる。
（６）横押縁４０Ａ、縦押縁４０Ｂの外観色と、押縁用接続部材６０の色とを同一にしたので、横押縁４０Ａ、縦押縁４０Ｂの接合部分に押縁用接続部材６０が配置されていても統一感のある押縁構造とすることができ、意匠性を向上できる。
【００２０】
［第２実施形態］
以下、本発明の第２実施形態に係る嵌め殺し窓１Ｂについて図７−１０を参照して説明する。
第２実施形態に係る嵌め殺し窓１Ｂは、窓枠２Ｂと、窓枠２Ｂの上枠２１Ｂ、下枠２２Ｂに取り付けられる横押縁４０Ｃと、左右の縦枠２３Ｂに取り付けられる縦押縁４０Ｄと、押縁用接続部材７０とを備える。
窓枠２Ｂは、上枠２１Ｂ、下枠２２Ｂが縦枠２３Ｂよりも長尺とされた横長の窓枠である。図８，９に示すように、上枠２１Ｂ、下枠２２Ｂには、横押縁４０Ｃが取り付けられる係合溝２５３Ｂと、後述する固定部品８０が取り付けられる固定孔２５４Ｂとが形成されている。係合溝２５３Ｂと固定孔２５４Ｂは連続して形成され、固定孔２５４Ｂの側面の一部は係合溝２５３Ｂに開口している。
縦枠２３Ｂは、縦押縁４０Ｄが取り付けられる係合溝２５３Ｂが形成されている。
【００２１】
横押縁４０Ｃおよび縦押縁４０Ｄは、図９にも示すように、前記第１実施形態の押縁４０と同じ断面形状の押出形材である。ただし、横押縁４０Ｃおよび縦押縁４０Ｄの長手方向の各端部は、長手方向に対して４５度に切断され、図７に示すように、嵌め殺し窓１Ｂを室外側から見た場合に、見付面部４３が台形形状となるように構成されている。このため、横押縁４０Ｃおよび縦押縁４０Ｄの接合部の小口を突き合わせて接合する「留め」の納まりとなっている。
【００２２】
横押縁４０Ｃは、第１分断押縁４１０および第２分断押縁４２０の２つの押縁で構成されている。
第１分断押縁４１０および第２分断押縁４２０において、縦押縁４０Ｄに突き合わされる小口４１０Ａ、４２０Ａは、各押縁４１０，４２０の長手方向に対して４５度に切断され、互いに対向する分断部分の小口４１０Ｂ、４２０Ｂは、各押縁４１０，４２０の長手方向に対して９０度に切断されている。
第１分断押縁４１０、第２分断押縁４２０の係合片部４２は、一部が切り欠かれて切欠部４２Ｂとされている。この切欠部４２Ｂには、後述する固定部品８０が係合する。
【００２３】
押縁用接続部材７０は、図７−９に示すように、第１分断押縁４１０および第２分断押縁４２０間に配置される。
押縁用接続部材７０は、各小口４１０Ｂ、４２０Ｂ間に配置される仕切片部７１と、仕切片部７１から突設されて第１分断押縁４１０の中空部４３５に挿入される第１挿入部７２と、仕切片部７１から突設されて第２分断押縁４２０の中空部４３５に挿入される第２挿入部７３と、第１分断押縁４１０の見付面部４３を覆う第１被覆部７４と、第２分断押縁４２０の見付面部４３を覆う第２被覆部７５とを備える。押縁用接続部材７０は、押縁４０の外観色（フィルム４１１の色）と同色の部品である。
【００２４】
仕切片部７１は、各小口４１０Ｂ、４２０Ｂ間に配置され、各小口４１０Ｂ、４２０Ｂに突き合わせることが可能な形状とされている。
第１挿入部７２および第２挿入部７３は、第１分断押縁４１０および第２分断押縁４２０の中空部４３５に挿入可能な形状とされている。
【００２５】
第１被覆部７４は、仕切片部７１から第１分断押縁４１０側に延出して設けられている。第１被覆部７４は、表面部７４１と、表面部７４１の上端に連続する上面部７４２とを備えている。
第１被覆部７４の表面部７４１は、第１分断押縁４１０の見付面部４３の表面を被覆できるように、見付面部４３の表面部４３１に沿って湾曲されている。第１挿入部７２と表面部７４１との間には、表面部４３１が配置可能な隙間が形成されている。
上面部７４２は、第１分断押縁４１０の押縁本体４１の上面を被覆可能に構成されている。
【００２６】
第２被覆部７５は、仕切片部７１から第２分断押縁４２０側に延出して設けられている。第２被覆部７５は、表面部７５１と、表面部７５１の上端に連続する上面部７５２とを備えている。
第２被覆部７５の表面部７５１は、第２分断押縁４２０の見付面部４３の表面を被覆できるように、見付面部４３の表面部４３１に沿って湾曲されている。第２挿入部７３と表面部７５１との間には、表面部４３１が配置可能な隙間が形成されている。
上面部７５２は、第２分断押縁４２０の押縁本体４１の上面を被覆可能に構成されている。
固定部品８０は、固定孔２５４Ｂに挿入される挿入部８１と、係合溝２５３Ｂに配置される係合片部８２とを備える。
【００２７】
次に、嵌め殺し窓１Ｂの組立手順について説明する。まず、上枠２１、下枠２２、縦枠２３の各小口を突き合わせて溶着などで固定して四周枠組みして窓枠２を組み立てる。そして、ガスケット２６を室内見付片部２５１に取り付ける。
また、上枠２１、下枠２２の固定孔２５４Ｂに固定部品８０の挿入部８１を挿入し、係合溝２５３Ｂに係合片部８２を配置する。
次に、面材３を窓枠２内に配置し、横押縁４０Ｃを上枠２１および下枠２２に取り付け、縦押縁４０Ｄを縦枠２３に取り付ける。この際、横押縁４０Ｃは、第１分断押縁４１０および第２分断押縁４２０間に押縁用接続部材７０を配置し、押縁用接続部材７０の第１挿入部７２および第２挿入部７３を、第１分断押縁４１０および第２分断押縁４２０の中空部４３５に挿入して組み立てた状態で、上枠２１、下枠２２に取り付ける。また、第１分断押縁４１０および第２分断押縁４２０の係合片部４２を、係合溝２５３Ｂに挿入する際に、係合片部４２に形成した切欠部４２Ｂを、固定部品８０の係合片部８２の位置に合わせて挿入し、係合片部８２を切欠部４２Ｂに係合する。
これにより、図１０（Ａ）に示すように、横押縁４０Ｃおよび縦押縁４０Ｄの突き合わせ部（角隅部）は、４５度に切断された小口同士が突き合わされて留めの納まりとなる。この小口の突き合わせ面は、上枠２１、下枠２２と縦枠２３との小口の突き合わせ面の延長線上に配置される。
横押縁４０Ｃでは、押縁用接続部材７０が第１分断押縁４１０および第２分断押縁４２０に跨がって配置され、第１分断押縁４１０および第２分断押縁４２０間の隙間が第１被覆部７４、第２被覆部７５で隠される。
【００２８】
嵌め殺し窓１Ｂが設けられた環境で温度変化が生じたり、高温に曝されて押出時の残留応力の緩和が生じた場合でも、窓枠２は躯体に固定されているので、ほとんど伸縮しない。一方、各押縁４０Ｃ，４０Ｄは、窓枠２に係合されているだけであり、各枠２１〜２３に対してその長手方向の移動が規制されていないため、熱伸縮する。
ここで、横押縁４０Ｃが収縮した場合、図１０（Ｂ）に示すように、第１分断押縁４１０および第２分断押縁４２０は、縦押縁４０Ｄに突き合わされる小口４１０Ｂ、４２０Ｂ側の端部が、固定部品８０の係合片部８２に係合されており、長手方向への移動が規制されている。このため、押縁用接続部材７０が接続された小口４１０Ｂ、４２０Ｂが両端部側に縮み、第１分断押縁４１０および第２分断押縁４２０の小口４１０Ｂ、４２０Ｂが互いに離れる方向（左右方向）に移動する。この際、押縁用接続部材７０の第１挿入部７２、第２挿入部７３は、第１分断押縁４１０、第２分断押縁４２０の中空部４３５に挿入されているだけで固定されていないので、押縁用接続部材７０に対して第１分断押縁４１０、第２分断押縁４２０が移動することを許容する。
したがって、第１分断押縁４１０、第２分断押縁４２０間の隙間の寸法Ｗが大きくなるが、この隙間部分には押縁用接続部材７０が配置され、押縁用接続部材７０の第１被覆部７４および第２被覆部７５が壁部として機能するので、隙間を隠すことができる。
なお、環境温度が元に戻ることなどで第１分断押縁４１０および第２分断押縁４２０が元の寸法に戻った場合は、押縁用接続部材７０の第１挿入部７２および第２挿入部７３にガイドされながら、第１分断押縁４１０および第２分断押縁４２０の各小口４１０Ｂ、４２０Ｂは互いに近づく方向に移動し、図１０（Ａ）の状態に戻る。
【００２９】
［第２実施形態の効果］
第２実施形態においても、前記第１実施形態と同様の作用効果を奏することができる。
すなわち、嵌め殺し窓１Ｂは、上枠２１、下枠２２と、左右の縦枠２３との接合部分を４５度の小口を突き合わせた留めの納まりとし、縦押縁４０Ｄおよび横押縁４０Ｃの接合部分も同様に、４５度の角度で切断した小口同士を突き合わせた留めの納まりとしたので、窓枠２と、横押縁４０Ｃおよび縦押縁４０Ｄの角部の納まりを共通にでき、意匠性を向上できる。
押縁用接続部材７０は、横押縁４０Ｃの第１分断押縁４１０および第２分断押縁４２０間に配置されているが、第１分断押縁４１０、第２分断押縁４２０には固定されていないので、第１分断押縁４１０、第２分断押縁４２０の収縮を押縁用接続部材７０が規制することがなく、第１分断押縁４１０、第２分断押縁４２０の収縮時に第１分断押縁４１０、第２分断押縁４２０が破損したり窓枠２から外れることを防止できる。
押縁用接続部材７０の第１被覆部７４および第２被覆部７５は、第１分断押縁４１０、第２分断押縁４２０間の隙間を隠す壁部として機能するため、第１分断押縁４１０、第２分断押縁４２０が収縮した際に室外側に隙間が露出することもなく、第１分断押縁４１０、第２分断押縁４２０の伸縮状態に関係無く同じ外観にできるため、意匠性を向上できる。
第１分断押縁４１０および第２分断押縁４２０の小口４１０Ａ、４２０Ａ側の端部を固定部品８０で長手方向に移動不能に固定したので、第１分断押縁４１０および第２分断押縁４２０の小口４１０Ａ、４２０Ａの位置を固定できる。このため、窓枠２の上枠２１、下枠２２と縦枠２３との接合ラインに対し、横押縁４０Ｃの小口の位置ずれを無くすことができ、意匠低下を抑制できる。
押縁用接続部材７０の第１挿入部７２、第２挿入部７３を、第１分断押縁４１０、第２分断押縁４２０の中空部４３５に挿入したので、第１分断押縁４１０および第２分断押縁４２０の見込み方向の位置を揃えることができる。このため、第１分断押縁４１０、第２分断押縁４２０の見付面部４３間の段差が生じず、この点でも意匠性を向上できる。
第１分断押縁４１０、第２分断押縁４２０が収縮した場合、その小口４１０Ｂ、４２０Ｂが露出すると、フィルム４１１と異なる素材の基材色が露出して意匠性が低下するが、本実施形態では、第１分断押縁４１０、第２分断押縁４２０の小口４１０Ｂ、４２０Ｂを押縁用接続部材７０で隠しているので、第１分断押縁４１０、第２分断押縁４２０の小口４１０Ｂ、４２０Ｂが露出することを防止でき、意匠性の低下を防止できる。
第１分断押縁４１０、第２分断押縁４２０の外観色と、押縁用接続部材７０の色とを同一にしたので、第１分断押縁４１０、第２分断押縁４２０間に押縁用接続部材７０が介在されていても統一感のある押縁構造とすることができ、意匠性を向上できる。
【００３０】
［変形例］
本発明は、以上の実施形態で説明した構成のものに限定されず、本発明の目的を達成できる範囲での変形例は、本発明に含まれる。
押縁用接続部材６０は、上枠２１、下枠２２に取り付けられるものに限定されず、縦枠２３に取り付けてもよい。特に、建具が横長であり、上枠２１、下枠２２が長辺、縦枠２３が短辺の場合は、短辺である縦枠２３に押縁用接続部材６０を取り付けることが好ましい。
押縁用接続部材７０は、横押縁４０Ｃに設けられるものに限定されず、縦押縁４０Ｄに設けられるものでもよいし、図１１に示すように、横押縁４０Ｃおよび縦押縁４０Ｄにそれぞれ設けられるものでもよい。すなわち、縦押縁４０Ｄを第１分断押縁４５０および第２分断押縁４６０で構成し、これらの第１分断押縁４５０および第２分断押縁４６０間に押縁用接続部材７０を配置してもよい。この際、縦枠２３には固定部品８０を取付け、第１分断押縁４５０および第２分断押縁４６０の突き合わせ小口側の端部を固定部品８０に係合すればよい。
さらに、第２実施形態の押縁用接続部材７０は、上枠２１、下枠２２には固定されていないが、押縁用接続部材６０と同様に、上枠２１、下枠２２に両面粘着シートや接着剤などで固定してもよい。
前記各実施形態では、押縁４０Ａ〜４０Ｄは、面材３の室外側に配置される外押縁とされているが、内押縁として用いる場合にも押縁用接続部材６０、７０を利用することができる。
【００３１】
窓枠２および押縁４０は合成樹脂製であればよく、その具体的な材質は、各部品に求められる機能などに応じて選択すればよい。
押縁４０Ａ〜４０Ｄは、ガスケット４５が押縁本体４１と別体とされていたが、二色成形などによって押縁本体４１およびガスケット４５を一体に形成してもよい。
前記各実施形態では、嵌め殺し窓１，１Ｂを建具として説明したが、押縁４０Ａ〜４０Ｄを用いる建具であれば、開き系、スライド系の窓やドア、戸であってもよい。
【００３２】
（まとめ）
本発明の押縁用接続部材は、縦押縁および横押縁の一方の押縁の小口を他方の押縁の側面に対向させて配置した接続部に設けられる押縁用接続部材であって、前記一方の押縁の見付面を覆う第１被覆部と、前記他方の押縁の見付面を覆う第２被覆部と、前記一方の押縁が取り付けられる枠に固定される固定部と、を備え、前記第２被覆部は、前記一方の押縁の長手方向に対する傾斜角度が４５度である斜辺を備え、前記第１被覆部および前記第２被覆部は、前記各押縁が収縮した際に生じる隙間を隠す壁部として機能することを特徴とする。
本発明の押縁用接続部材によれば、縦押縁および横押縁の一方の押縁の見付面を覆う第１被覆部と、他方の押縁の見付面を覆う第２被覆部とを備えるので、納まりで勝ち側の押縁（縦勝ちであれば縦押縁、横勝ちであれば横押縁）の見付面を第２被覆部で覆うことができる。この際、第２被覆部は一方の押縁の長手方向に対して４５度に傾斜された斜辺を備えるため、縦押縁および横押縁の接合部分に４５度の斜辺が配置された外観となり、留めと呼ばれる納まりと同様の外観意匠とすることができる。したがって、押縁が取り付けられる建具枠の角部の納まりを、枠材を４５度に切断した小口同士を溶着する留めの納まりとした場合に、建具枠と押縁の角部の納まりの意匠を共通化できて意匠性を向上できる。
また、押縁用接続部材は枠に固定されるため、前記第２被覆部の斜辺を、枠材の小口の延長線上に容易に配置でき、枠材から押縁部分まで突き合わせ部分が連続する意匠を実現できる。さらに、各押縁が収縮しても、押縁用接続部材は枠に固定されていて移動しないので、枠材から押縁部分まで突き合わせ部分が連続する意匠を常時維持できる。さらに、押縁用接続部材の第１被覆部および第２被覆部は、各押縁の見付面を覆うだけで固定されていないので、押縁用接続部材は、各押縁が収縮した場合にその移動を規制せず、押縁の収縮時に押縁が破損したり建具枠から外れることも防止できる。
さらに、押縁用接続部材の第１被覆部および第２被覆部は、各押縁が収縮した際に、押縁と枠間や、各押縁間に生じる隙間を隠す壁部として機能するため、押縁が収縮した際の隙間を目立たなくでき、この点でも意匠性を向上できる。
【００３３】
本発明の押縁用接続部材は、長手方向の端部を４５度の角度で切断した小口同士を突き合わせて設置される縦押縁および横押縁の少なくとも一方の押縁に設けられる押縁用接続部材であって、前記一方の押縁は、第１分断押縁および第２分断押縁の２つの押縁を備えて構成され、前記押縁用接続部材は、前記第１分断押縁および前記第２分断押縁間に配置され、前記第１分断押縁の見付面を覆う第１被覆部と、前記第２分断押縁の見付面を覆う第２被覆部と、を備え、前記第１被覆部および前記第２被覆部は、前記第１分断押縁および前記第２分断押縁が収縮した際に、前記第１分断押縁および前記第２分断押縁間に生じる隙間を隠す壁部として機能することを特徴とする。
本発明の押縁用接続部材によれば、縦押縁および横押縁の長手方向の端部は４５度の角度で切断した小口とされ、互いに突き合わされているので、留めと呼ばれる納まりと同様の外観意匠とすることができる。したがって、押縁が取り付けられる建具枠の角部の納まりを、枠材を４５度に切断した小口同士を溶着する留めの納まりとした場合に、建具枠と押縁の角部の納まりを共通化できて意匠性を向上できる。
また、縦押縁および横押縁の少なくとも一方の押縁を分断押縁としている。すなわち、分断押縁は、縦押縁でもよいし、横押縁でもよく、さらには、縦押縁および横押縁の両方ともでもよい。分断押縁は、第１分断押縁および第２分断押縁の２つの押縁に分断され、第１分断押縁および第２分断押縁間に、押縁用接続部材が配置されている。このため、押縁用接続部材で接続された各分断押縁が伸縮してその端部が移動しても、その変位を吸収できる。そして、押縁用接続部材は、第１分断押縁、第２分断押縁の見付面を被覆するだけで固定されていないので、各分断押縁が収縮した場合にその移動を規制せず、分断押縁の収縮時に分断押縁が破損したり建具枠から外れることも防止できる。
さらに、押縁用接続部材の第１被覆部および第２被覆部は、各分断押縁が収縮した際に生じる隙間を隠す壁部として機能するため、分断押縁が収縮した際の隙間を目立たなくでき、この点でも意匠性を向上できる。
【００３４】
本発明の建具は、建具枠と、前記建具枠内に配置される面材と、前記建具枠に取り付けられて前記面材を押さえる縦押縁および横押縁と、押縁用接続部材と、を備え、前記建具枠は、上枠、下枠および左右の縦枠で構成され、前記各枠の小口は４５度の角度で切断されて突き合わせされて接合され、前記縦押縁および前記横押縁は、長手方向に連続する中空部を備え、かつ、一方の押縁の小口を他方の押縁の側面に対向させて配置され、前記押縁用接続部材は、前記一方の押縁の見付面を覆う第１被覆部と、前記他方の押縁の見付面を覆う第２被覆部と、前記一方の押縁が取り付けられる枠に固定される固定部と、を備え、前記第２被覆部は、前記一方の押縁の長手方向に対する傾斜角度が４５度である斜辺を備え、前記第１被覆部および前記第２被覆部は、前記各押縁が収縮した際に生じる隙間を隠す壁部として機能することを特徴とする。
この建具によれば、前述した押縁用接続部材を備えるため、同じ作用効果を奏することができる。すなわち、納まりで勝ち側の押縁の見付面を第２被覆部で覆うことができ、第２被覆部は各枠の小口の突き合わせ面の延長線上に配置される斜辺を備えるため、縦押縁および横押縁の接合部分に４５度の斜辺が配置された外観となり、建具枠と押縁の角部の納まりの外観を共通化できて意匠性を向上できる。また、押縁用接続部材は、建具枠に固定され、各押縁の移動を規制しないので、各押縁の収縮時に押縁が破損したり建具枠から外れることも防止できる。さらに、押縁用接続部材の被覆部は、各分断押縁が収縮した際に、各分断押縁間に生じる隙間を隠す壁部として機能するため、分断押縁が収縮した際の隙間を目立たなくでき、この点でも意匠性を向上できる。
【００３５】
本発明の建具は、建具枠と、前記建具枠内に配置される面材と、前記建具枠に取り付けられて前記面材を押さえる縦押縁および横押縁と、押縁用接続部材と、を備え、前記建具枠は、上枠、下枠および左右の縦枠で構成され、前記各枠の小口は４５度の角度で切断されて突き合わせされて接合され、前記縦押縁および前記横押縁は、長手方向に連続する中空部を備え、かつ、長手方向の端部の小口は長手方向に対して４５度の角度で切断され、前記縦押縁および前記横押縁の少なくとも一方の押縁は、第１分断押縁および第２分断押縁を備え、前記第１分断押縁および前記第２分断押縁は、他の押縁と突き合わされる前記小口が形成された端部側で前記枠に固定され、前記押縁用接続部材は、前記第１分断押縁および前記第２分断押縁間に配置され、前記第１分断押縁の見付面を覆う第１被覆部と、前記第２分断押縁の見付面を覆う第２被覆部と、を備え、前記第１被覆部および前記第２被覆部は、前記各分断押縁が収縮した際に生じる隙間を隠す壁部として機能することを特徴とする。
この建具によれば、前述した押縁用接続部材を備えるため、同じ作用効果を奏することができる。すなわち、縦押縁および横押縁の長手方向の端部は４５度の角度で切断した小口とされ、互いに突き合わされているので、留めと呼ばれる納まりと同様の外観意匠とすることができる。したがって、押縁が取り付けられる建具枠の角部の納まりを、枠材を４５度に切断した小口同士を溶着する留めの納まりとした場合に、建具枠と押縁の角部の納まりを共通化できて意匠性を向上できる。
また、縦押縁および横押縁の少なくとも一方の押縁を、第１分断押縁および第２分断押縁の２つの押縁に分断された分断押縁で構成し、第１分断押縁および第２分断押縁間に、押縁用接続部材が配置されている。このため、分断押縁の４５度に切断された両端の小口が、他の押縁の小口に突き合わされた状態で分断押縁が伸縮した場合に、押縁用接続部材で接続された各分断押縁の中間部分が移動することで、前記伸縮による変位を吸収できる。そして、押縁用接続部材は、第１分断押縁、第２分断押縁の見付面を被覆するだけで固定されていないので、各分断押縁が収縮した場合にその移動を規制せず、分断押縁の収縮時に分断押縁が破損したり建具枠から外れることも防止できる。
さらに、押縁用接続部材の第１被覆部および第２被覆部は、各分断押縁が収縮した際に生じる隙間を隠す壁部として機能するため、分断押縁が収縮した際の隙間を目立たなくでき、この点でも意匠性を向上できる。
【００３６】
本発明の建具において、前記第１分断押縁および前記第２分断押縁が取り付けられる前記枠の両端部には固定部品が取り付けられ、前記第１分断押縁および前記第２分断押縁の前記端部側には、前記固定部品が係合される切欠部が形成されていることが好ましい。
第１分断押縁および前記第２分断押縁の各端部を建具枠に固定する構造として、各端部に切欠部を形成し、建具枠に取り付けた固定部品を前記切欠部に係合しているので、接着剤や両面テープなどで固定する場合に比べて組立が容易となり、かつ、面材などの交換が必要となった場合に、分断押縁を容易に取り外すことができる。
【符号の説明】
【００３７】
１、１Ｂ…嵌め殺し窓（建具）、２、２Ｂ…窓枠、２１、２１Ｂ…上枠、２２、２２Ｂ…下枠、２３、２３Ｂ…縦枠、３…面材、４０…押縁、４０Ａ…横押縁、４０Ｂ…縦押縁、４０Ｃ…横押縁、４０Ｄ…縦押縁、４１…押縁本体、４２…係合片部、４２Ｂ…切欠部、４３…見付面部、４３５…中空部、４３Ａ…小口、６０…押縁用接続部材、６１…対向部、６２…挿入部、６３…第１被覆部、６４…第２被覆部、６５…固定部、７０…押縁用接続部材、７１…仕切片部、７２…第１挿入部、７３…第２挿入部、７４…第１被覆部、７５…第２被覆部、８０…固定部品、８１…挿入部、８２…係合片部、２５３、２５３Ｂ…係合溝、２５４Ｂ…固定孔、４１０、４５０…第１分断押縁、４２０、４６０…第２分断押縁、４１０Ａ、４１０Ｂ、４２０Ａ、４２０Ｂ…小口、６４５…斜辺。
【図１】
2020020134.tif 000003
【図２】
2020020134.tif 000004
【図３】
2020020134.tif 000005
【図４】
2020020134.tif 000006
【図５】
2020020134.tif 000007
【図６】
2020020134.tif 000008
【図７】
2020020134.tif 000009
【図８】
2020020134.tif 000010
【図９】
2020020134.tif 000011
【図１０】
2020020134.tif 000012
【図１１】
2020020134.tif 000013